(57)【要約】【課題】従来の瓦の製造においては、歪測定を受けた瓦を良品と不良品に選別するだけであって、歪測定により選別された瓦を次工程へ向けて送り出すだけであり、良品として選別された各瓦における歪具合のばらつきを考慮せず、瓦を順番に送り出すという点である。【解決手段】焼成済みの瓦Ｗの歪を測定することにより、予め設定された歪測定の許容範囲に含まれる瓦Ｗを、瓦Ｗの歪の程度に応じて複種類に選別し、複種類に選別された各瓦Ｗを所定の組み合わせに基づいてまとめた瓦群とする。【選択図】　　　　図１
2004025759.tif 000002
【特許請求の範囲】
【請求項１】
多数の焼成済みの瓦の歪を測定することにより、予め設定された歪測定の許容範囲に含まれる各瓦を、各瓦の歪の程度に応じて複種類のいずれかに選別し、
選別された各瓦を所定の組み合わせに基づく瓦群となるように、複数枚にまとめることを特徴とする瓦群の形成方法。
【請求項２】
多数の焼成済みの瓦の歪を測定する歪測定手段と、
予め設定された歪測定の許容範囲に含まれる瓦を、瓦の歪の程度に応じて複種類のいずれかに選別する選別手段と、
選別された各瓦を所定の組み合わせに基づく瓦群となるように、複数枚にまとめる瓦群形成手段とを具備することを特徴とする瓦群の形成装置。
【発明の詳細な説明】
【０００１】
【発明が属する技術分野】
この発明は、焼成済みの瓦の歪測定の結果に基づく瓦群の形成方法および瓦群の形成装置に関し、とくに製造工程において焼成を必要とする粘土瓦を対象とするものである。
【０００２】
【従来の技術】
この種の従来技術をこの発明の背景と併せ、具体例に基づいて明らかにする。一般的に、粘土瓦の製造工程では、歪測定装置などの手段により、良否の判別がされた瓦のうち、良品として判別された瓦が屋根葺き時の作業上の利便性に配慮して通常４枚ないし５枚にまとめられた瓦群として形成されたが、この瓦群は瓦の歪の程度について配慮されないまま無作為に積み重ねられたものであった。
【０００３】
そして、積み重ねられたこれらの瓦群は、たとえば、瓦群毎に結束テープなどで結束され、結束された瓦群は後工程において、所定数の瓦群をパレットなどに集積して梱包され、出荷された。
出荷された瓦群は、屋根葺きの現場で梱包が解かれ、４枚ないし５枚の瓦から構成される瓦群が屋根上へ揚げられ、屋根上において瓦群の結束が解除され、いわゆる熟練した瓦職人が経験と勘を頼りに、瓦屋根の美観を図ることを目的として瓦を適宜に組み合わせ屋根葺きを行っていたことは知られるとおりである。
【０００４】
瓦群を構成する各瓦は（ここでは４枚の瓦からなる瓦群について説明する）、予め、良否の判別がなされた瓦であるから、その大部分は歪がないかあるいは歪を無視できるものである（以下この明細書では断りのない限り単に「正規の瓦」と称し、説明の便宜上「Ｂの瓦」という）。
しかし、瓦の衿が頭側から尻側にかけて下方に傾斜している「オチ」と称される歪のある瓦（以下、この明細書では断りのない限り単に「オチ瓦」と称し、説明の便宜上「Ｃの瓦」という）や、瓦の衿が頭側から尻側にかけて上方に傾斜し、「オチ」のある瓦と逆方向に「ハネ」と称される歪のある瓦（以下、この明細書では断りのない限り単に「ハネ瓦」と称し、説明の便宜上「Ａの瓦」という）が生産上混在することを回避できなかった（図８を参照）。
【０００５】
したがって、前記した４枚の瓦から構成される瓦群は、良品の範疇に属する瓦から構成されるものの、従来では、これらの瓦の歪の有無に拘わらず無作為に４枚の瓦から構成される瓦群として形成された。
この結果、各瓦によって構成される瓦群の内訳は、たとえば、▲１▼「正規の瓦」のみ４枚（内訳Ｂの瓦４枚）、▲２▼「オチ瓦」２枚と「正規の瓦」２枚（内訳Ｂの瓦２枚、Ｃの瓦２枚）、▲３▼「ハネ瓦」１枚と「正規の瓦」３枚（内訳Ａの瓦１枚、Ｂの瓦３枚）の組み合わせなど、その内訳はランダムな組み合わせによるものであった。
【０００６】
その結果、当然、ランダムな瓦の組み合わせの内訳による瓦群によって屋根葺きの作業が行われることになるから、ランダムな内訳による瓦群は屋根葺きの作業に大きく影響し、瓦の施工上の大きな隘路となっていた。
そこで、この点についてさらに言及すると次のとおりである。
前記した例に基づき、▲１▼の場合では、４枚の瓦が総て「正規の瓦」であるから、屋根葺き時にその瓦群の内訳に配慮しないままその施工を行うことができるので屋根の美観上何らの問題もない。
他方、▲２▼の場合は、「オチ瓦」２枚と「正規の瓦」２枚の合計４枚からなる瓦群である。
この場合、Ｂの瓦は「正規の瓦」の瓦であるから、瓦葺きに問題ないとしても、Ｂの瓦に続いてＣの瓦２枚をそのまま葺いては、瓦の衿が頭側から尻側にかけて下方に傾斜しているから、瓦群の各瓦（Ｂの瓦２枚、Ｃの瓦２枚）により具現される屋根の一部は、衿が位置する部位において、Ｃの瓦の歪の影響を受け屋根の美観を損ねることになる。
▲３▼の場合は、「ハネ瓦」１枚と「正規の瓦」３枚の合計４枚からなる瓦群であるから、Ｂの瓦３枚は「正規の瓦」の瓦であるから瓦葺きに問題ないとしても、Ｂの瓦に続いてＡの瓦１枚をそのまま葺いては、この瓦群の各瓦（Ａの瓦１枚、Ｂの瓦３枚）により具現される屋根の一部は、衿が位置する部位において、Ａの瓦の歪の影響を受け屋根の美観を損ねることになる。
【０００７】
【発明が解決しようとする課題】
従来の瓦の製造においては、歪測定を受けた瓦を良品と不良品に選別するだけであって、選別後の各瓦は無作為にまとめられ、ランダムな組み合わせの瓦群を構成するだけであって、瓦群を構成する各瓦の歪具合が考慮されないまま屋根葺きに供されていた。
このため、選別後の４枚あるいは５枚程度に結束された瓦結束品が屋根工事の現場において使用される場合、屋根葺きの技術により、各瓦の歪の影響を屋根に反映されないようにする努力がなされるものの、現場の職人が瓦１枚毎に逐次歪具合を確認して選別し、各瓦の歪具合に応じて瓦の組み合わせを図るといった煩雑な作業を必要とした。
換言すれば、従来では、瓦の歪具合のばらつきに応じて瓦の組み合せを行う瓦群の形成が屋根上の現場でその都度行われた上、屋根葺きが行われたといえる。また、この作業は、熟練に富んだ屋根葺き職人の経験と勘を頼りにするもので屋根葺きの大きな隘路になっていた。
さらに、瓦群の形成が屋根上の現場でその都度行われたといえるから、屋根葺きの作業の相当時間が瓦群の形成に費やされることになり、屋根葺き作業の能率を阻害していた。
【０００８】
この発明の目的は、上記の問題点に鑑み、瓦群を構成する瓦の内訳について、所定の組み合わせによる瓦群を形成することにより、屋根葺き職人の経験と勘を頼りにしない屋根葺きを行うことができるようにすることにある。
所定の組み合わせによる瓦群を形成することにより、屋根葺きの作業の確実性を図り、以て一層、屋根の美観の向上化を図ることにある。
屋根葺きに備えて予め、所定の組み合わせによる瓦群を形成することにより、従来行われた屋根上の現場で瓦群を形成する作業を省略し、屋根葺き作業の能率化を図ることにある。
さらにいえば、所定の組み合わせによる瓦群を形成する方法と瓦群の形成装置の提供にある。
【０００９】
【発明が解決しようとするための手段および作用効果】
上記の目的を達成するため、請求項１記載の瓦群の形成方法は、多数の焼成済みの瓦の歪を測定することにより、予め設定された歪測定の許容範囲に含まれる各瓦を、各瓦の歪の程度に応じて複種類のいずれかに選別し、選別された各瓦を所定の組み合わせに基づく瓦群となるように、複数枚にまとめることを特徴とするものである。
【００１０】
選別された各瓦を所定の組み合わせに基づく瓦群となるように、複数枚にまとめるとは、歪のある瓦が混在しても経験と勘を頼りにすることなく、瓦群の瓦の内訳が所定の組み合わせの状態に形成されていることである。
請求項１記載の発明は上記のように構成されているから、多数の焼成済みの瓦の歪が測定され、予め設定された歪測定結果の許容範囲に含まれる各瓦は、瓦の歪の程度に応じて複種類のいずれかに選別される。
そして、選別された各瓦を所定の組み合わせに基づいて、例えば、４枚または５枚にまとめた瓦群に形成される。
形成された瓦群には、瓦の歪の程度に応じた複種類の各瓦が、所定の組み合わせとなっているため、瓦群全体を１単位とし、瓦群の瓦の歪具合の平均を歪平均値とすると、各瓦群の歪平均値はほぼ一定となる。
【００１１】
請求項１記載の発明は上記の構成であるから、以下の効果を奏する。
多数の焼成済みの瓦のうち、予め設定された歪測定の許容範囲に含まれる各瓦を、各瓦の歪の程度に応じて複種類のいずれかに選別し、選別された各瓦を所定の組み合わせに基づく瓦群となるように、複数枚にまとめるから、各瓦群の歪平均値はほぼ一定となる。
したがって、従来のように瓦の歪を意識することなく、瓦群を構成する各瓦を屋根に葺くことができ、屋根葺き作業の煩雑を解消できる。
その上、屋根葺きの作業を所定の組み合わせによる瓦群に基づいて行うことができるので、歪のある瓦が混在しても、従来の方法に比較してその作業の確実性を期待できるから、瓦の歪具合により屋根の美観を損なうおそれが小さくなる。
【００１２】
請求項２記載の瓦群の形成装置は、多数の焼成済みの瓦の歪を測定する歪測定手段と、予め設定された歪測定の許容範囲に含まれる瓦を、瓦の歪の程度に応じて複種類のいずれかに選別する選別手段と、選別された各瓦を所定の組み合わせに基づく瓦群となるように、複数枚にまとめる瓦群形成手段とを具備することを特徴とするものである。
【００１３】
請求項２記載の発明は以下の効果を奏する。
歪測定手段により焼成済みの瓦の歪を測定し、予め設定された歪測定の許容範囲に含まれる瓦を、選別手段により瓦の歪の程度に応じて複種類に選別し、瓦群形成手段により選別された各瓦を複種類の所定の組み合わせに基づいてまとめた瓦群とすることができる。
【００１４】
【発明の実施の形態】
この発明の実施の形態にかかる瓦群の形成方法および瓦群の形成装置について、図面を参照して説明する。
なお、本各発明は、下記の実施の形態に限定されるものではなく、各発明の趣旨の範囲内で種々の変更が可能である。
図１は、この実施の形態に係る瓦群の形成の工程図であり、図２は歪測定における測定箇所を示す瓦の斜視図であり、図３は一般的な瓦の歪測定の結果に基づく瓦の分布図であり、図４はこの実施の形態に係る瓦群の形成装置の側面図であり、図５は同装置の平面図であり、図６は同装置の過程の一部を示したフロー図であり、図７は「ハネ」の瓦、「オチ」の瓦を各１枚、正規の瓦の２枚から構成される瓦群により葺かれた屋根の一部を示す斜視図であり、図８は「オチ」の瓦、「ハネ」の瓦および正規の瓦を説明する側面図である。
【００１５】
まず、この実施の形態に係る瓦群の形成方法について説明するが、ここでは、対象とする瓦の種類はＪ形桟瓦であって、４枚の瓦から構成される瓦群を形成するものとし、この瓦群は、各瓦の歪の程度に応じて３種類のいずれかに選別された各瓦を、所定の組み合わせに基づいて４枚にまとめられたものとする。
ここに瓦の歪の程度に応じて３種類のいずれかに選別するとは、瓦を、▲１▼比較的歪の少ない「正規の瓦」（「Ｂの瓦」）▲２▼「ハネのある瓦」（「Ａの瓦」）▲３▼「オチのある瓦」（「Ｃの瓦」）のいずれかに選別することである。
図１に示されるように、この実施の形態の瓦群の形成方法は、焼成済みの瓦の歪を測定する歪測定工程と、歪測定の結果に基づいて良品と不良品の判別を行う良否判別工程と、予め設定された歪測定の許容範囲に含まれる瓦（良品）を、瓦の歪の程度に応じて３種類に選別する選別工程と、３種類に選別された各瓦を所定の組み合わせに基づいて１組４枚にまとめた瓦群とする瓦群形成工程とから基本的に構成される。
【００１６】
（歪測定工程について）
焼成された多数の瓦Ｗの歪を１枚の瓦毎に順番に測定する。
瓦の歪の測定方法は、瓦の桟側の下端を基準として瓦の衿側付近の上面の長さ方向の高さを測定することにより行われる。
実際には、図２に示されるように、瓦Ｗの桟側の下端の２点（Ｐ、Ｑ）と瓦Ｗの裏面中央付近の１点（Ｒ）との合計３点で瓦Ｗを下方から支持し、支持された瓦Ｗの衿側付近の上面の長さ方向における頭側および尻側の２点（Ｘ、Ｙ）の高さを測定することにより行われる。
なお、歪測定の際に得られた瓦Ｗの歪測定値は、次の瓦Ｗの選別の際に利用されるものとしている。
ここで、瓦Ｗの歪測定値とは、瓦Ｗの桟側の下端を支持する２点（Ｐ、Ｑ）間による線分ｍと、瓦Ｗの衿側付近の上面の長さ方向における頭側および尻側の２点（Ｘ、Ｙ）間の線分ｎとの平行度を示す値である。
具体的な平行度の判定は、次の式に基づいて行われ、得られるΔｃの値により良否判定される。
Ｘｚ−Ｐｚ＝Ｚａ、Ｙｚ−Ｑｚ＝Ｚｂ、Ｚａ−Ｚｂ＝Δｃ
なお、ＰｚはＰ点の高さ、ＱｚはＱ点の高さ、ＸｚはＸ点の高さ、ＹｚはＹ点の高さで単位はｍｍである。
なお、Ｐ点、Ｑ点、Ｘ点、Ｙ点の高さは同時に測定されることが一般的であるが、特に制限されるものではない。
【００１７】
（良否判別工程について）
良否判別工程は、歪測定の結果に基づいて瓦Ｗを良品または不良品と判別する工程である。
予め瓦Ｗの歪測定の許容範囲を設定しておき、歪測定の結果から許容範囲外にある瓦Ｗを不良品として排除する一方、歪測定の結果が許容範囲内にある瓦Ｗを良品として判定する。
【００１８】
すなわち、先に示した式に基づいてΔｃを算出し、たとえば、−２≦Δｃ≦２のとき良品とし、Δｃ＜−２、または、Δｃ＞２のとき、不良品とする。
なお、歪測定の際に得られた瓦Ｗの歪測定値は、次の瓦Ｗの選別の際に利用されるものとしている。
【００１９】
（選別工程について）
次に、選別工程について説明するが、選別工程では、歪が測定された瓦Ｗをその歪具合に応じて選別するが、この実施の形態では、Ａの瓦、Ｂの瓦、Ｃの瓦の３種類のいずれかに選別するとしている。
Ａの瓦は先に説明したΔｃが、たとえば、次の条件を満たすものとしている。
１＜Δｃ≦２
この条件を満たすＡの瓦は良品の範疇であるものの、いわゆる「ハネ」気味の瓦といえる。
Ｂの瓦は、たとえば、次の条件を満たすものとしている。
−１≦Δｃ≦１
この条件を満たすＢの瓦は、歪がない瓦であるか、歪具合が比較的小さな瓦である。
Ｃの瓦は、たとえば、次の条件を満たすものとしている。
−２≦Δｃ≦−１
この条件を満たすＣの瓦は良品の範疇であるものの、いわゆる「オチ」気味の瓦といえる。
なお、横軸をΔｃとし、縦軸を瓦Ｗの枚数とする場合、一般的な粘土瓦の製造における焼成済みの瓦Ｗの分布は図３のように示される。
なお、良否判別工程および選別工程において、各瓦Ｗの歪を示すΔｃの値の範囲は、この実施の形態に制限されるわけではなく、屋根を葺く瓦に求められる性能が保証される範囲で数値を設定すればよい。
【００２０】
（瓦群形成工程について）
次に、瓦群形成工程について説明する。
瓦群形成工程では、Ａの瓦、Ｂの瓦、Ｃの瓦のいずれかに選別された瓦から所定の組み合わせに基づいて瓦群を形成する。
この実施の形態では、選別されたＡの瓦、Ｂの瓦、Ｃの瓦から、４枚を選択し、４枚の瓦から構成されるものを瓦群としている。
この実施の形態における所定の組み合わせとは、選別された瓦の内訳のことであり、その内訳は以下の▲１▼、▲２▼に示されるとおりである。
▲１▼Ａの瓦を１枚、Ｂの瓦を２枚、Ｃの瓦を１枚とする瓦群
▲２▼Ｂの瓦を４枚とする瓦群
基本的に、瓦群を構成する各瓦Ｗの積み重ね順序は考慮しなくてもよいが、生産技術上の点から、瓦群を構成する各瓦Ｗの積み重ね順序について、所定の順序になるように設定してもよい。
なお、瓦群を構成する瓦の枚数を５枚とする場合は、瓦群の内訳をＡの瓦を１枚、Ｂの瓦を３枚、Ｃの瓦を１枚とするか、もしくは、瓦群の内訳をＡの瓦を２枚、Ｂの瓦を１枚、Ｃの瓦を２枚とする組み合わせとすればよい。
この実施の形態のように、各瓦を３種類のいずれかに選別する場合では、瓦群を構成する瓦の数が理論的に３枚以上の場合に、少なくともＡの瓦とＣの瓦を１単位とし、瓦群にＡの瓦とＣの瓦の１単位以上含まれることを必須とするとともに、残りの瓦がＢの瓦であればよい。
また、瓦群とは、瓦群を構成する瓦Ｗが互いに積み重ねられた状態を予定しているが、積み重ねられた状態に限定されるものではなく、例えば、搬送コンベア上などで、Ａの瓦、Ｂの瓦、Ｃの瓦が所定の枚数で順番に並んでいる状態などを含むものである。
【００２１】
この実施の形態では、焼成済みの多数の瓦Ｗが連続的に歪測定されるから、歪測定の結果からＡの瓦およびＣの瓦に選別される瓦Ｗが所定の枚数に達するように、選別されたＡの瓦およびＣの瓦を所定の枚数になるまで所定の場所に待機させておく。
その間は、比較的多くの枚数が見込まれるＢの瓦４枚からなる瓦群を形成し、これらの瓦群を次工程へ向けて送り出す。
待機されるＡの瓦またはＣの瓦が所定の枚数に達すると、歪測定によりＢの瓦が２枚得られる毎にＡの瓦およびＣの瓦の各１枚を所定の場所から払い出し、所定の組み合わせによる瓦群を形成する。
このようにして、所定の場所に待機されたＡの瓦およびＣの瓦を払い出しすると、その後に歪測定の結果により得られた新たなＡの瓦およびＣの瓦を所定の場所に、待機させ、上記の手順が繰り返される。
【００２２】
次に、この発明の実施の形態に係る瓦群の形成装置１０について説明する。
この瓦群の形成装置１０は、先に説明したＡの瓦１枚、Ｂの瓦２枚、Ｃの瓦１枚から構成される瓦群と、Ｂの瓦４枚から構成される瓦群とを、条件に応じて形成するものである。
図４に示されるように、この発明の実施の形態に係る瓦群の形成装置１０は、主に搬送手段１２、歪測定手段１４、不良品除去手段１６、選別手段１８、ストック手段２０とから構成されている。
そして、この瓦群の形成装置１０は、歪測定手段１４に搬送手段１２が接続されており、歪測定手段１４の下流側には、不良品除去手段１６が搬送手段１２の側方から接続されている。
そして、不良品除去手段１６の下流側であって、搬送手段１２の上方にストック手段２０が設けられている。
【００２３】
歪測定手段１４は瓦Ｗの歪を測定するためのものであり、瓦Ｗの桟側の下端の２点（Ｐ、Ｑ）と瓦の裏面中央付近の１点（Ｒ）との合計３点で瓦Ｗを支持し、支持された瓦の衿側付近の上面の長さ方向における頭側および尻側の２点（Ｘ、Ｙ）の高さを測定するものである（図２を参照）。
歪測定手段１４には、瓦Ｗを搬送および一時停止させるコンベア部２２と、歪測定用の複数のセンサ２６、２６を備えたセンサ部２４と、歪測定の結果を示す表示部２８、良否判定を制御する制御部３０などが備えられている。
【００２４】
コンベア部２２は間歇駆動するベルトコンベアにより構成されているが、図示しない位置決め機構によりコンベア部２２上に瓦Ｗを固定することができるものとなっている。
また、コンベア部２２は昇降自在に設けられており、コンベア部２２に固定された瓦Ｗを上方のセンサ部２４へ向けて上昇させ、センサ部２４のセンサ２６、２６に瓦Ｗの表面を当接させるものとなっている。
【００２５】
センサ部２４に設けられた複数のセンサ２６、２６は、測定対象である瓦Ｗの衿側付近の上面の長さ方向における頭側および尻側の２点（Ｘ、Ｙ）の高さを測定するためのものであり、ここでは、接触式のセンサとしているが、光学式など非接触式のセンサでもよい。
制御部３０はセンサ２６、２６により得られた２点（Ｘ、Ｙ）の高さに基づいて瓦Ｗの良否判定を行うためのものである。
なお、図示しないが、瓦Ｗの桟側の下端を支持する２点（Ｐ、Ｑ）の高さを測定するセンサが設けられている。
【００２６】
次に、不良品除去手段１６について説明すると、不良品除去手段１６は歪測定手段１４により不良品と判定された瓦を、搬送手段１２から取り除くためのものであり、この実施の形態の不良品除去手段１６は、循環駆動するスラットコンベア３２に多数のスラット３４が設けられ、各スラット３４に一対の棒材３６、３６が取り付けられているものである。
不良品除去手段１６には、スラット３４に取り付けられた棒材３６、３６が、搬送手段１２の搬送面と干渉するように搬送手段１２に接続されているから、良否判定により不良品と判定された瓦Ｗは、棒材３６、３６により掬い上げられて搬送手段１２から取り除かれるものとなっている（図４を参照）。
【００２７】
次に、選別手段１８について説明する。
選別手段１８は、歪測定手段１４の測定により良品とされた瓦Ｗを、瓦の歪具合に応じて３種類に選別するためのものである。
選別手段１８は、歪測定手段１４の制御部３０から得られる２点（Ｘ、Ｙ）の高さを利用して瓦ＷをＡの瓦、Ｂの瓦、Ｃの瓦の３種類に選別することから、歪測定手段１４の制御部３０と電気的に接続されている。
選別手段１８は、選別結果に基づいて後述するストック手段２０を制御する機能を有するものである（図４を参照）。
【００２８】
次に、ストック手段２０について説明するが、ストック手段２０は、この発明における瓦群形成手段に相当するとともに、瓦群形成手段をより具体化したものであり、ストック部４０、４２と、入出制御機構４４とから構成されている。
ストック手段２０は、Ａの瓦とＣの瓦を所定の枚数まで貯留する２つのストック部４０、４２を備えている。
これらのストック部４０、４２は、搬送手段１２からＡの瓦またはＣの瓦をストック部４０、４２へ掬い上げるほか、ストック部４０、４２から瓦を搬送手段１２へ払い出すための入出制御機構４４がそれぞれ備えられている。
なお、この実施の形態では、搬送手段１２の上方にストック部４０、４２を設けているが、不良品除去手段１６のように搬送手段１２の側方に設けてもよく、搬送手段１２からストック部４０、４２へＡの瓦、Ｃの瓦をストックしたり、ストック部４０、４２から搬送手段１２へＡの瓦、Ｃの瓦を払い出すことが可能であれば特に限定されるものではない。
入出制御機構４４は、選別手段１８により制御されるものであるが、この入出制御機構４４は、ストック部４０、４２にストックされた各瓦が所定の枚数に達していない場合と、達している場合との２つの条件の下で、それぞれ異なる制御を行うものとしている。
【００２９】
具体的には、ストック部４０、４２にストックされたＡの瓦、Ｃの瓦が所定の枚数に達していない場合、選別手段１８によりＡの瓦、Ｃの瓦と選別された瓦は、入出制御機構４４の作動を受けて各ストック部４０、４２にＡの瓦、Ｃの瓦がストックされるものとなっている。
なお、選別手段１８によりＢの瓦と選別された瓦は、入出制御機構４４の作動を受けることなくストック部４０、４２を通過するように図られている。
また、ストック部４０、４２にストックされたＡの瓦、Ｃの瓦が所定の枚数に達している場合、選別手段１８によりＡの瓦と選別されると、このＡの瓦の前方の瓦がＢの瓦であるときに限り、選別手段１８により選別されたＡの瓦の後に続くように、入出制御機構４４が作動され、Ｃの瓦のストック部４２からＣの瓦１枚が払い出されるとしている。
【００３０】
そして、この場合、Ａの瓦、Ｃの瓦という順番で搬送手段１２上に並ぶことになるが、これらの瓦に続く２枚の瓦がＢの瓦となるように、入出制御機構４４が作動されるものとなっている。
すなわち、Ａの瓦、Ｃの瓦の後に続く瓦がＢの瓦と選別されると、入出制御機構４４は作動せず、Ｂの瓦はストック手段２０を通過し、さらに、このＢの瓦に続く瓦がＢの瓦と選別されると、この２枚目のＢの瓦も同様にストック手段２０を通過する。
Ａの瓦、Ｃの瓦の後に続く２枚の瓦において、Ａの瓦またはＣの瓦が１枚でも含まれていると、ストック部４０、４２にストックされたＡの瓦およびＣの瓦が所定枚数に達している場合でも、入出制御機構４４が作動して、Ａの瓦またはＣの瓦をストック部４０、４２へストックさせることになる。
【００３１】
一方、選別手段１８によりＣの瓦と選別されると、このＣの瓦の前方の瓦がＢの瓦であるときに限り、選別手段１８により選別されたＣの瓦の後に続くように、入出制御機構４４の作動により、Ａの瓦のストック部４０からＡの瓦１枚が払い出される。
そして、Ａの瓦、Ｃの瓦の順番で並んだ場合と同様に、後に続く２枚の瓦がＢと選別されるまで、ストック部４０、４２にストックされたＡの瓦およびＣの瓦が所定枚数に達している場合でも、入出制御手段４４がＡの瓦またはＣの瓦と選別された瓦をストック部４０、４２へストックすることになる。
【００３２】
したがって、ストック部４０、４２にストックされたＡの瓦およびＣの瓦が所定の枚数に達していない場合では、選別手段１８によりＡの瓦またはＣの瓦と選別されると、選別されたＡの瓦またはＣの瓦をストック部４０、４２へ貯留するように入出制御機構４４が作動し、専らＢの瓦から構成される瓦群を形成するが、ストック部４０、４２にストックされたＡの瓦およびＣの瓦が所定の枚数に達している場合では、選別手段１８によりＡの瓦またはＣの瓦と選別されると、このＡの瓦またはＣの瓦の前方の瓦がＢの瓦であるときに限り、選別されたＡの瓦またはＣの瓦の後に、異なるＡの瓦またはＣの瓦が払い出されるように入出制御機構４４が作動し、かつ、これらの瓦の後に続く２枚の瓦がＢの瓦と選別されるまで、Ａの瓦、Ｃの瓦をストック手段２０へストックし、Ａの瓦１枚、Ｂの瓦２枚、Ｃの瓦１枚から構成される瓦群を形成するものとなっている。
なお、焼成済みの多数の瓦は、図６のフロー図に示されるように各瓦毎に、歪測定、良否判別、選別などの過程を経て、瓦群を形成することになる。
また、この実施の形態ではＡの瓦、Ｃの瓦のストック部４０、４２を設けるようにしたが、生産ラインの能力など生産技術上の面を考慮して、Ｂの瓦のストック部を設けてもよい。
【００３３】
次に、この実施の形態に係る瓦群の形成装置１０による瓦群の形成の過程について説明する。
まず、歪測定手段１４へ向けて焼成済みの瓦Ｗを送り込む。
送り込まれた瓦Ｗは歪測定手段１４のコンベア部２２により搬送され、センサ部２４の下方に達する。
センサ部２４の下方に瓦Ｗが達すると、コンベア部２２の駆動が停止し、図示しない位置決め機構により瓦Ｗが固定される。
次いで、コンベア部２２が上昇し、コンベア部２２に固定された瓦Ｗは上昇し、瓦Ｗの表面にセンサ部２４のセンサ２６、２６が当接する。
このとき、コンベア部２２は所定の位置までさらに上昇され、コンベア部２２が所定の位置に達したときに、各センサ２６、２６により各測定箇所の高さを測定する。
【００３４】
そして、測定された瓦Ｗの測定箇所の高さに基づき歪測定値を求め、歪測定値に基づき制御部３０により良否判別が行われ、予め設定された歪測定値の許容範囲内と認められた瓦Ｗは良品として判別され、良品として判別された瓦Ｗはコンベア部２２の駆動により搬送手段１２へ送り込まれ、ストック部２０へ向けて搬送される。
一方、制御部３０により得られた歪測定値が予め設定された歪測定値の許容範囲外と認められた瓦Ｗは不良品として判別され、不良品として判別された瓦Ｗはコンベア部２２の駆動により搬送手段１２へ送り込まれるが、不良品除去手段１６の作動を受けて、搬送手段１２から取り除かれる。
【００３５】
次に、良品と判別された瓦Ｗについて、瓦Ｗがストック部２０に達するまでに、瓦の歪具合に応じた選別が選別手段１８により行われる。
具体的な選別としては、「ハネ」気味の瓦をＡの瓦とし、「オチ」気味の瓦をＣの瓦とし、比較的歪のない瓦をＢの瓦として選別する。
選別の具体的な条件は、先に方法の発明の説明において示したように、３種類に設定された歪測定値に基づくものとしている。
そして、これらの瓦Ｗがストック部２０に達するまでに、瓦Ｗの歪具合に応じた選別が選別手段１８により行われ、選別された瓦Ｗがストック部４０、４２に達すると、次の条件に基づいて入出制御機構４４が制御される。
【００３６】
ストック部４０、４２にストックされたＡの瓦およびＣの瓦が所定の枚数に達していない場合、選別手段１８によりＡの瓦、Ｃの瓦と選別された瓦は、搬送手段１２が一時停止し、入出制御機構４４の作動を受けて各ストック部４０、４２にＡの瓦、Ｃの瓦がそれぞれストックされ、他方、選別手段１８によりＢの瓦と選別された瓦は、入出制御機構４４の作動を受けることなく搬送手段１２の駆動により、ストック部４０、４２を通過する（図６を参照）。
したがって、歪測定手段１４、選別手段１８を通じて連続的に瓦Ｗの歪測定と選別が行われると、ストック部４０、４２におけるＡの瓦、Ｃの瓦が所定の枚数に達するまでは、Ｂの瓦４枚から構成される瓦群が形成されることになる。
【００３７】
一方、ストック部４０、４２にストックされたＡの瓦およびＣの瓦が所定の枚数に達している場合、例えば、選別手段１８によりＡの瓦と選別されると、このＡの前方の瓦がＢの瓦であるときに限り、選別されたＡの瓦はストック手段２０を通過するが、Ａの瓦の通過後、入出制御機構４４の作動により、Ｃの瓦のストック部４２からＣの瓦１枚が払い出され、選別手段１８により選別されたＡの瓦の後にＣの瓦が続いて搬送される（図６を参照）。
したがって、選別されたＡの瓦の直ぐ後にはＣの瓦が続き、このＣの瓦の後には、Ｂの瓦が２枚続くように入出制御機構４４が作動される。
すなわち、続く２枚の瓦が、Ｂの瓦と選別されるとストック手段２０を通過し、Ａの瓦、Ｃの瓦の後に続いて搬送されることになる。
これに対して、続く２枚の瓦が、Ａの瓦またはＣの瓦と選別されると、ストック部４０、４２にストックされたＡの瓦およびＣの瓦が所定枚数に達している場合でも、入出制御機構４４が作動して、ストック手段２０のストック部４０、４２にＡまたはＣの瓦をストックすることになる。
つまり、Ａの瓦、Ｃの瓦の組み合わせが搬送手段１２上において発生すると、Ａの瓦、Ｃの瓦に続く２枚の瓦が、Ｂの瓦と選別されるまで、ストック部４０、４２にストックされたＡの瓦およびＣの瓦が所定枚数に達している場合でも、ストック手段２０の入出制御機構４４が作動し、搬送手段１２上におけるＡの瓦、Ｃの瓦の後に、Ｂの瓦以外の瓦が続かないようにする。
【００３８】
このように、Ａの瓦、Ｃの瓦の後にＢの瓦が２枚続くことにより、Ａの瓦１枚、Ｃの瓦１枚、Ｂの瓦２枚から構成される瓦群が形成される。
なお、選別手段１８によりＣの瓦と選別された場合では、選別手段により選別されたＣの瓦の後に続くように、入出制御機構４４の作動により、Ａの瓦のストック部４０からＡの瓦１枚が払い出され、Ｃの瓦、Ａの瓦という順番で搬送手段１２上に並び、これらの瓦の後にＢの瓦２枚が続くように、ストック手段２０の入出制御機構４４が制御される。
【００３９】
このように、ストック手段２０のストック部４０、４２にストックされたＡの瓦およびＣの瓦が所定の枚数に達していない場合では、選別手段１８によりＡまたはＣの瓦と選別されると、選別されたＡの瓦またはＣの瓦をストック部４０、４２へ貯留するように入出制御機構４４が作動し、専らＢの瓦から構成される瓦群を形成し、他方、ストック部４０、４２にストックされたＡの瓦およびＣの瓦が所定の枚数に達している場合では、選別手段１８によりＡの瓦またはＣの瓦と選別されると、このＡの瓦またはＣの瓦の前方の瓦がＢの瓦であるときに限り、選別されたＡの瓦またはＣの瓦の後に、異なるＡの瓦またはＣの瓦が払い出されるように入出制御機構４４が作動し、かつ、これらの瓦の後に続く２枚の瓦がＢの瓦と選別されるまで、Ａの瓦、Ｃの瓦をストック手段２０へストックし、Ａの瓦１枚、Ｂの瓦２枚、Ｃの瓦１枚から構成される瓦群を形成する（図６を参照）。
【００４０】
このように、形成された瓦群を次工程へ送り、そして、これらの瓦群を結束テープなどで結束し、結束された瓦群をパレットなどに載置し、パレット単位で梱包する。
なお、瓦群の結束時において、結束テープの色などを瓦群の種類に応じて変更すれば、結束テープの色が瓦群の識別手段となり、Ｂの瓦から構成される瓦群と、Ａの瓦、Ｂの瓦、Ｃの瓦から構成される瓦群を識別することが容易となる。
これらの瓦群の種類を識別するための識別手段は、結束テープの色のほか、添着シール、スタンプなどが予定され、結束工程のほか瓦群が形成される種類で識別手段を付加すればよい。
【００４１】
梱包された瓦群とパレットは共に工場から出荷され、屋根工事業者を通じて、施工現場へ輸送される。
施工現場において、パレットの梱包が解かれ、結束された瓦群単位で工事中の屋根に揚げられ、屋根葺きに供される。
このとき、作業者はＢの瓦から構成される瓦群と、Ａの瓦、Ｂの瓦、Ｃの瓦から構成される瓦群により屋根を葺くことになるが、Ｂの瓦から構成される瓦群については、各瓦の歪具合が比較的小さいため、Ｂの瓦を用いて屋根を葺いても屋根の美観上の不具合は生じる可能性は少ない。
一方、Ａの瓦、Ｂの瓦、Ｃの瓦から構成される瓦群については、Ａの瓦とＣの瓦の歪具合が比較的大きいといえるが、Ａの瓦とＣの瓦を組み合わせることで、図７に示されるように、Ａの瓦とＣの瓦の歪具合を互いに打ち消すように解消することができ、結局のところ、Ａの瓦、Ｂの瓦、Ｃの瓦から構成される瓦群の各瓦を順番に屋根に葺き上げることにより、屋根の美観上の不具合を引き起こす可能性が小さくなる。
このように、屋根葺き時において各瓦の歪具合を解消するように構成された瓦群を提供すれば、作業者の熟練度や知識など作業者の技能に頼ることなく、単に瓦を順番に屋根に葺くだけであっても、瓦の歪具合による屋根の美観を損なうことがない。
さらに、瓦群に識別手段が設けられていれば、屋根葺きの作業者が瓦群の種類を識別できるから、屋根の部位に応じて屋根葺作業をより緻密に行うための一助となる。
【００４２】
この実施の形態では各瓦を、各瓦の歪具合に応じて３種類の瓦のいずれかに選別するとしたが、この発明では、各瓦の歪具合に応じて少なくとも２種類以上の瓦のいずれかに選別することが可能であることはいうまでもない。
さらに、この実施の形態ではＪ形桟瓦について説明したが、Ｆ形桟瓦やＳ形桟瓦については、瓦の歪測定において測定する箇所が異なるものの、Ｊ形桟瓦のように、同様の瓦群の形成が可能であることはいうまでもない。
【図面の簡単な説明】
【図１】この実施の形態に係る瓦群の形成の工程図である。
【図２】歪測定における測定箇所を示す瓦の斜視図である。
【図３】一般的な瓦の歪測定結果に基づく瓦の分布図である。
【図４】この実施の形態に係る瓦群の形成装置の側面図である。
【図５】同装置の平面図である。
【図６】同装置の過程の一部を示したフロー図である。
【図７】Ａの瓦とＣの瓦を各１枚、Ｂの瓦を２枚用いて屋根を葺いた状態を示す斜視図である。
【図８】「オチ」の瓦、「ハネ」の瓦および歪のない正規の瓦の側面図である。
【符号の説明】
１０　瓦群の形成装置
１２　搬送手段
１４　歪測定手段
１６　不良品除去手段
１８　選別手段
２０　ストック手段
２２　コンベア部
２４　センサ部
２６　センサ
２８　表示部
３０　制御部
３２　スラットコンベア
３４　スラット
３６　棒材
４０　ストック部（Ａの瓦用）
４２　ストック部（Ｃの瓦用）
４４　入出制御機構
Ｗ　瓦
ｍ　線分（ＰＱ間）
ｎ　線分（ＸＹ間）
【図１】
2004025759.tif 000003
【図２】
2004025759.tif 000004
【図３】
2004025759.tif 000005
【図４】
2004025759.tif 000006
【図５】
2004025759.tif 000007
【図６】
2004025759.tif 000008
【図７】
2004025759.tif 000009
【図８】
2004025759.tif 000010